(57)【要約】  【課題】  型枠の振動による締付けナットの緩みを効果的に防止できる低コストで作業性の良いフォームタイの緩み防止冶具を提供する。  【解決手段】  一端に雄ねじ５ａを設けたタイロッド５と、タイロッド挿入用の孔が形成された端太押え金具６と、端太押え金具６から突出したタイロッド５の雄ねじ５ａにねじ込む締付けナット７とから成る締付けナット形式のフォームタイＡの緩み防止冶具Ｂであって、金属板の曲げ加工により、前記締付けナット７の両側面を弾性的に挟持する一対の挟持片８を備えた基板部９と、基板部９の一辺から延設された端太押え金具の側面に当接する舌片８と、舌片８の先端から折れ曲がった端太押え金具の裏面端縁と係合する係止片１１とを形成してある。係止片１１の先端に折り返し片１２を設けることもある。  【選択図】  図１
2006283922.tif 000002
【特許請求の範囲】
【請求項１】
一端に雄ねじを設けたタイロッドと、タイロッド挿入用の孔が形成された端太押え金具と、端太押え金具から突出したタイロッドの雄ねじにねじ込む締付けナットとから成るフォームタイの緩み防止冶具であって、金属板の曲げ加工により、前記締付けナットの両側面を弾性的に挟持する一対の挟持片を備えた基板部と、基板部の一辺から延設された端太押え金具の側面に当接する舌片と、舌片の先端から折れ曲がった端太押え金具の裏面端縁と係合する係止片とを形成して成るフォームタイの緩み防止冶具。
【請求項２】
係止片の先端に折り返し片が設けられている請求項１に記載のフォームタイの緩み防止冶具。
【発明の詳細な説明】
【技術分野】
【０００１】
本発明は、一端に雄ねじを設けたタイロッドと、タイロッド挿入用の孔が形成された端太押え金具と、端太押え金具から突出したタイロッドの雄ねじにねじ込む締付けナットとから構成される締付けナット形式のフォームタイの緩み防止冶具に関する。
【背景技術】
【０００２】
近時、低スランプのコンクリートでも型枠内に密実に充填できるようにするため、型枠自体を振動させる型枠バイブレーターを使用することが多い。この場合、上記のような締付けナット形式のフォームタイでは、型枠の振動によって締付けナットが緩み、型枠外面に当て付けた端太の押さえが利かなくなり、型枠がずれるなどの障害が起きることもあった。
【０００３】
そのため、特許文献１に見られるように、締付けナットの代わりに楔を用いる形式のものも提案されているが、建設現場においては、古くから使用されている締付けナット形式の多く使われており、その対処が必要になっている。
【０００４】
こうした締付けナット形式のフォームタイにおける締付けナットの緩み止め方法としては、端太押え金具と締付けナットの間にワッシャーをかませる、あるいはナットを二重にすることが考えられる。
【０００５】
しかしながら、ワッシャーをかませる方法では、型枠バイブレーターの振動に耐え得るだけの緩み防止効果はあまり期待できない。また、フォームタイにおけるナットの締付けは、通常、ラチェットレンチを使用して行われるため、二重ナット方式では、締付けに手間が掛かるだけでなく、コンクリート打設後には相当な圧力が加わっているために、脱型時のナットの取り外しに大変な手間が掛かるという問題がある。
【０００６】
【特許文献１】特開２００４−１７６２８５号公報
【発明の開示】
【発明が解決しようとする課題】
【０００７】
本発明は、上記の問題点を踏まえてなされたもので、その目的とするところは、型枠の振動による締付けナットの緩みを効果的に防止できる低コストで作業性の良いフォームタイの緩み防止冶具を提供することにある。
【課題を解決するための手段】
【０００８】
上記の目的を達成するために、本発明が講じた技術的手段は、次のとおりである。即ち、請求項１に記載の発明では、一端に雄ねじを設けたタイロッドと、タイロッド挿入用の孔が形成された端太押え金具と、端太押え金具から突出したタイロッドの雄ねじにねじ込む締付けナットとから成るフォームタイの緩み防止冶具を構成するにあたり、金属板の曲げ加工により、前記締付けナットの両側面を弾性的に挟持する一対の挟持片を備えた基板部と、基板部の一辺から延設された端太押え金具の側面に当接する舌片と、舌片の先端から折れ曲がった端太押え金具の裏面端縁と係合する係止片とを形成して、緩み防止冶具を構成している。
【０００９】
尚、回り止め機能を高めるために、前記係止片の先端に折り返し片を設けてもよい（請求項２）。
【発明の効果】
【００１０】
上記の発明の構成によれば、フォームタイで型枠を締め付けた後、つまり、型枠外面に当て付けた端太を端太押え金具で押さえ、端太押え金具から突出したタイロッドの雄ねじに締付けナットを螺着して、ラチェットレンチなどの工具により所定の締付け状態にまでねじ込んだ後、当該締付けナットに緩み防止冶具を装着することにより、型枠の振動による締付けナットの回転を阻止でき、フォームタイの緩みを防止できる。
【００１１】
即ち、緩み防止冶具をフォームタイに対して側方から押し当て、一対の挟持片を締付けナットの側面に押し付けることにより、挟持片が弾性復元力に抗して押し広げられ、締付けナットの両側面を挟持する。この状態では、舌片が端太押え金具の側面に当接し、舌片先端の係止片が端太押え金具の裏面端縁と係合する。
【００１２】
従って、型枠の振動により、締付けナットが緩み方向に挟持片ごと回転しようとしても、舌片が端太押え金具の側面に当接することによって、締付けナットの回転が阻止されることになる。また、型枠の振動によって緩み防止冶具が締付けナットから軸芯方向に抜け出ようとしても、舌片先端の係止片と端太押え金具の裏面端縁との係合により、外側への移動が阻止され、緩み防止冶具自体の抜け落ちが阻止されることになる。
【００１３】
型枠脱型時には、挟持片の先端をハンマーなどで叩くだけで、緩み防止冶具を外すことができ、フォームタイに対する緩み防止冶具の脱着操作が容易である。
【００１４】
しかも、緩み防止冶具は、金属板の曲げ加工により作製される簡単な構造であるため、低コストで実施できる。
【００１５】
このように、本発明によれば、型枠の振動による締付けナットの緩みを効果的に防止できる低コストで作業性の良いフォームタイの緩み防止冶具を実現し得るのである。
【発明を実施するための最良の形態】
【００１６】
図１〜図４は本発明に係るフォームタイＡの緩み防止冶具Ｂの使用状態を示し、図５は緩み防止冶具Ｂを示す。図において、１は堰板１ａとその裏面に固定された桟木１ｂとで構成された型枠、２は型枠１の外面に当て付けた丸パイプより成る端太、３は型枠セパレータ、４は型枠セパレータ３の端部に装着されたコーンである。
【００１７】
フォームタイＡは、一端に雄ねじ５ａを、他端には前記コーン４の雄ねじと螺合する雌ねじ５ｂを設けたタイロッド５と、中央にタイロッド挿入用の孔が形成された端太押え金具６と、端太押え金具６から突出したタイロッド５の雄ねじ５ａにねじ込む締付けナット７とから構成されている。
【００１８】
緩み防止冶具Ｂは、例えば、ステンレス板を所定形状に裁断し、製品形状にまで曲げ加工した後、焼入れを行ってバネ性を高める等、金属板の曲げ加工によって作製されたものであり、図５に示すように、前記締付けナット７の両側面を弾性的に挟持する一対の挟持片８を備えた基板部９と、基板部９の一辺から延設された端太押え金具２の側面に当接する舌片１０と、舌片１０の先端から折れ曲がった端太押え金具２の裏面端縁と係合する係止片１１とを形成して成るものである。両挟持片８の付け根側は、平坦な基板部９に対して鋭角に折れ曲がった平坦な断面形状に形成されており、先端側は、内側へ湾曲した後、外広がりになるように湾曲した断面形状に形成されている。
【００１９】
上記の構成によれば、フォームタイＡで型枠１を締付けた後、つまり、型枠１外面に当て付けた２本の端太２を端太押え金具６で押さえ、端太押え金具６から突出したタイロッド５の雄ねじ５ａに締付けナット７を螺着して、ラチェットレンチなどの工具により所定
の締付け状態にまでねじ込んだ後、当該締付けナット７に緩み防止冶具Ｂを装着することにより、型枠１の振動による締付けナット７の回転を阻止でき、フォームタイＡの緩みを防止できる。
【００２０】
即ち、緩み防止冶具Ｂを手で持って、図３、図４に仮想線で示す状態から実線で示す状態へと、フォームタイＡに対して側方から押し当て、一対の挟持片８を締付けナット７の側面に押し付けることにより、挟持片８が弾性復元力に抗して押し広げられ、先端側の湾曲部分が締付けナット７を通過して、締付けナット７の両側面を挟持する。この状態では、舌片１０が端太押え金具６の側面に当接し、舌片１０先端の係止片１１が端太押え金具６の裏面と係合する。
【００２１】
従って、型枠１の振動により、締付けナット７が緩み方向に挟持片８ごと回転しようとしても、舌片１０が端太押え金具６の側面に当接することによって、締付けナット７の回転が阻止されることになる。また、型枠１の振動によって緩み防止冶具Ｂが締付けナット７から軸芯方向に抜け出ようとしても、舌片１０先端の係止片１１と端太押え金具６の裏面端縁との係合により、外側への移動が阻止され、緩み防止冶具Ｂ自体の抜け落ちが阻止されることになる。
【００２２】
型枠脱型時には、挟持片８の先端をハンマーなどで叩くだけで、緩み防止冶具Ｂを外すことができ、フォームタイＡに対する緩み防止冶Ｂの脱着操作が容易である。
【００２３】
図６は他の実施形態を示し、係止片１１の先端に折り返し片１２を折曲連設して、当該折り返し片１２が端太押え金具６の裏面端縁の背面側と係合するように構成した点に特徴がある。この構成によれば、舌片１０と端太押え金具６の側面との当接による回り止め機能に加え、折り返し片１２が端太押え金具６の裏面端縁の背面側と係合することによって、この係合部でも端太押え金具６に対する緩み防止冶具Ｂの回り止め機能が発揮されることになり、その結果、締付けナット７の回り止めがより強固に行われることになる。その他の構成、作用は、図１〜図５の実施形態と同じであるため、説明を省略する。
【００２４】
尚、図示の例では、端太押え金具６として、端太２を掴持する面が丸パイプ製の端太２に対応して半円状に形成されたものを使用しているが、端太押え金具６を角パイプ製の端太に対応した形状としてもよい。また、図示の例では、端太押え金具６として、両側部で２本の端太２を掴持する形式のものを示したが、端太押え金具６で１本の端太２を掴持するように構成した所謂シングルフォームタイの場合にも本発明を適用できることは勿論である。
【図面の簡単な説明】
【００２５】
【図１】フォームタイの緩み防止冶具の使用状態における斜視図である。
【図２】フォームタイの緩み防止冶具の使用状態における縦断側面図である。
【図３】フォームタイの緩み防止冶具の使用状態における正面図である。
【図４】フォームタイの緩み防止冶具の使用状態における横断平面図である。
【図５】緩み防止冶具の斜視図である。
【図６】他の実施形態を示す緩み防止冶具の斜視図である。
【符号の説明】
【００２６】
Ａ  フォームタイ
Ｂ  緩み防止冶具データベース
５  タイロッド
６  端太押え金具
７  締付けナット
８  挟持片
９  基板部
１０  舌片
１１  係止片
１２  折り返し片
【図１】
2006283922.tif 000003
【図２】
2006283922.tif 000004
【図３】
2006283922.tif 000005
【図４】
2006283922.tif 000006
【図５】
2006283922.tif 000007
【図６】
2006283922.tif 000008